【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技媒体が入賞可能な開状態に変化可能な可変入賞装置と、
前記有利状態へ制御する有利状態制御手段と、
前記可変入賞装置に遊技媒体が入賞し第１条件が成立したときに、第１の報知を行う第１報知手段と、
前記可変入賞装置に遊技媒体が入賞し前記第１条件とは異なる第２条件が成立したときに、第２の報知を行う第２報知手段と、
前記可変入賞装置へ、遊技媒体を入賞させるための指示を行う指示手段を備え、
前記第１条件は、
前記可変入賞装置内に設けられた特定領域を遊技媒体が通過したことで成立するとともに、
前記第１条件と前記第２条件とが成立したときには、前記第１報知手段による前記第１の報知と、前記第２報知手段による前記第２の報知とを重複して実行可能であることを特徴とする遊技機。
【請求項２】
遊技者にとって有利な有利状態に制御可能な遊技機であって、
遊技媒体が入賞可能な開状態に変化可能な可変入賞装置と、
前記有利状態へ制御する有利状態制御手段と、
前記可変入賞装置に遊技媒体が入賞し第１条件が成立したときに、第１の報知を行う第１報知手段と、
前記可変入賞装置に遊技媒体が入賞し前記第１条件とは異なる第２条件が成立したときに、第２の報知を行う第２報知手段と、
前記可変入賞装置へ、遊技媒体を入賞させるための指示を行う指示手段を備え、
前記第１条件は、
前記可変入賞装置内に設けられた特定領域を遊技媒体が通過したことで成立するとともに、
前記第１条件と前記第２条件とが成立したときには、前記第１報知手段による前記第１の報知と、前記第２報知手段による前記第２の報知とのうちいずれか一方を実行可能であることを特徴とする遊技機。
【手続補正２】
【補正対象書類名】明細書
【補正対象項目名】０００５
【補正方法】変更
【補正の内容】
【０００５】
(手段Ａ)上記目的を達成するため、本発明の遊技機は、遊技者にとって有利な有利状態に制御可能な遊技機であって、遊技媒体が入賞可能な開状態に変化可能な可変入賞装置と、前記有利状態へ制御する有利状態制御手段と、前記可変入賞装置に遊技媒体が入賞し第１条件が成立したときに、第１の報知を行う第１報知手段と、前記可変入賞装置に遊技媒体が入賞し前記第１条件とは異なる第２条件が成立したときに、第２の報知を行う第２報知手段と、前記可変入賞装置へ、遊技媒体を入賞させるための指示を行う指示手段を備え、前記第１条件は、前記可変入賞装置内に設けられた特定領域を遊技媒体が通過したことで成立するとともに、前記第１条件と前記第２条件とが成立したときには、前記第１報知手段による前記第１の報知と、前記第２報知手段による前記第２の報知とを重複して実行可能であることを特徴とする遊技機。
（１）上記目的を達成するため、本発明の他の遊技機は、遊技者にとって有利な有利状態（例えば、大当り遊技状態、高確状態、高ベース状態等）に制御可能な遊技機であって、遊技媒体が入賞可能な開状態に変化可能な可変入賞装置（例えば、下特別可変入賞球装置７Ｂ等）と、前記有利状態へ制御する有利状態制御手段（例えば、図１３の特別図柄停止処理として特図プロセスフラグの値を大当り開放前処理に対応する“４”に更新するステップＳ２８５の処理、図２０の確変判定処理として確変領域通過フラグをセットするステップＳ８３３の処理、図２２の大当り終了処理として高確フラグをセットするステップＳ３８５の処理や高ベースフラグをセットするステップＳ３８６の処理、図３８の特図当り待ち処理として演出プロセスフラグの値を大当り開始処理に対応する“４”に更新するステップＳ７３３の処理、図４３の報知フラグ設定処理として確変設定フラグをセットするステップＳ９３２の処理、図４２の大当り終了後処理として高確高ベース状態に設定するステップＳ７７４の処理や低確低ベース状態に設定するステップＳ７７５の処理等）と、前記可変入賞装置に遊技媒体が入賞し第１条件（例えば、確変制御条件等）が成立したときに、第１の報知（例えば、図４８の（ｄ）に示すような確変確定報知等）を行う第１報知手段（例えば、図４６のステップＳ９０３４の処理、図４７（Ｂ）のステップＳ９０５６の処理等）と、前記可変入賞装置に遊技媒体が入賞し前記第１条件とは異なる第２条件（例えば、連続出玉数が所定の出玉報知個数に初めて到達したという条件等）が成立したときに、第２の報知（例えば、図４９の（ｃ）に示すような出玉報知等）を行う第２報知手段（例えば、図４７（Ａ）のステップＳ９０４２の処理やステップＳ９０４５の処理、図４７（Ｂ）のステップＳ９０５３の処理等）とを備え、前記第１条件は、前記可変入賞装置内に設けられた特定領域（例えば、確変領域等）を遊技媒体が通過したことで成立するとともに、前記第１条件と前記第２条件とが成立したときには、前記第１報知手段による前記第１の報知（例えば、確変確定報知等）と、前記第２報知手段による前記第２の報知（例えば、出玉報知等）とを重複して実行可能である（例えば、図５０の（ｄ）に示すように、確変確定報知と出玉報知とを重複して実行可能である）。
【手続補正３】
【補正対象書類名】明細書
【補正対象項目名】０００７
【補正方法】変更
【補正の内容】
【０００７】
(手段Ｂ)上記目的を達成するため、本発明の遊技機は、遊技者にとって有利な有利状態に制御可能な遊技機であって、遊技媒体が入賞可能な開状態に変化可能な可変入賞装置と、
前記有利状態へ制御する有利状態制御手段と、前記可変入賞装置に遊技媒体が入賞し第１条件が成立したときに、第１の報知を行う第１報知手段と、前記可変入賞装置に遊技媒体が入賞し前記第１条件とは異なる第２条件が成立したときに、第２の報知を行う第２報知手段と、前記可変入賞装置へ、遊技媒体を入賞させるための指示を行う指示手段を備え、前記第１条件は、前記可変入賞装置内に設けられた特定領域を遊技媒体が通過したことで成立するとともに、前記第１条件と前記第２条件とが成立したときには、前記第１報知手段による前記第１の報知と、前記第２報知手段による前記第２の報知とのうちいずれか一方を実行可能であることを特徴とする遊技機。
（２）上記目的を達成するため、本発明の他の遊技機は、遊技者にとって有利な有利状態（例えば、大当り遊技状態、高確状態、高ベース状態等）に制御可能な遊技機であって、遊技媒体が入賞可能な開状態に変化可能な可変入賞装置（例えば、下特別可変入賞球装置７Ｂ等）と、前記有利状態へ制御する有利状態制御手段（例えば、図１３の特別図柄停止処理として特図プロセスフラグの値を大当り開放前処理に対応する“４”に更新するステップＳ２８５の処理、図２０の確変判定処理として確変領域通過フラグをセットするステップＳ８３３の処理、図２２の大当り終了処理として高確フラグをセットするステップＳ３８５の処理や高ベースフラグをセットするステップＳ３８６の処理、図３８の特図当り待ち処理として演出プロセスフラグの値を大当り開始処理に対応する“４”に更新するステップＳ７３３の処理、図４３の報知フラグ設定処理として確変設定フラグをセットするステップＳ９３２の処理、図４２の大当り終了後処理として高確高ベース状態に設定するステップＳ７７４の処理や低確低ベース状態に設定するステップＳ７７５の処理等）と、前記可変入賞装置に遊技媒体が入賞し第１条件（例えば、確変制御条件等）が成立したときに、第１の報知（例えば、図４８の（ｄ）に示すような確変確定報知等）を行う第１報知手段（例えば、図４６のステップＳ９０３４の処理、図４７（Ｂ）のステップＳ９０５６の処理等）と、前記可変入賞装置に遊技媒体が入賞し前記第１条件とは異なる第２条件（例えば、連続出玉数が所定の出玉報知個数に初めて到達したという条件等）が成立したときに、第２の報知（例えば、図４９の（ｃ）に示すような出玉報知等）を行う第２報知手段（例えば、図４７（Ａ）のステップＳ９０４２の処理やステップＳ９０４５の処理、図４７（Ｂ）のステップＳ９０５３の処理等）とを備え、前記第１条件は、前記可変入賞装置内に設けられた特定領域（例えば、確変領域等）を遊技媒体が通過したことで成立するとともに、前記第１条件と前記第２条件とが成立したときには、前記第１報知手段による前記第１の報知（例えば、確変確定報知等）と、前記第２報知手段による前記第２の報知（例えば、出玉報知等）とのうちいずれか一方を実行可能である（例えば、図５７の（ｂ）に示すように、出玉報知を実行せずに確変確定報知を実行可能である）。